(57)【要約】【課題】上下方向に揺動可能な可動体を、その上部側の定常位置で確実に保持して自重等による降下を確実に阻止ことが可能な遊技機を提供する。【解決手段】支持軸４６廻りに揺動自在な可動体４１と、支持軸４６と平行な駆動軸６１ａを有する回転駆動手段６１と、駆動軸６１ａと可動体４１とを回転方向に連動させる連動手段６２とを備え、回転駆動手段６１により可動体４１を上部位置と下部位置との間の可動範囲内で揺動させる遊技機で、連動手段６２は、駆動軸６１ａに略直交する駆動側レバー６５と、支持軸４６に略直交する被駆動側レバー６６と、駆動側レバー６５の先端側の駆動側連結軸６９と被駆動側レバー６６の先端側の被駆動側連結軸７２とを夫々回転自在に連結する連結リンク６７とを備え、可動体４１が上部位置にきたとき、被駆動側連結軸７２、駆動側連結軸６９及び駆動軸６１ａのなす角が略１８０度となるように構成されているものである。【選択図】図９
2011072840.tif 000002
【特許請求の範囲】
【請求項１】
所定の支持軸（４６）廻りに揺動自在に支持された可動体（４１）と、前記支持軸（４６）と平行な駆動軸（６１ａ）を有する回転駆動手段（６１）と、前記駆動軸（６１ａ）の回転動作と前記可動体（４１）の前記支持軸（４６）廻りの回転動作とを連動させる連動手段（６２）とを備え、前記回転駆動手段（６１）の駆動により前記可動体（４１）を所定の上部位置と下部位置との間の可動範囲内で揺動させるように構成された遊技機において、前記連動手段（６２）は、前記駆動軸（６１ａ）と回転方向に連結され且つ該駆動軸（６１ａ）に略直交する駆動側レバー（６５）と、前記支持軸（４６）と回転方向に連結され且つ該支持軸（４６）に略直交する被駆動側レバー（６６）と、前記駆動側レバー（６５）の先端側の駆動側連結軸（６９）と前記被駆動側レバー（６６）の先端側の被駆動側連結軸（７２）とを夫々回転自在に連結する連結リンク（６７）とを備え、前記可動体（４１）が前記上部位置にきたとき、前記被駆動側連結軸（７２）、前記駆動側連結軸（６９）及び前記駆動軸（６１ａ）のなす角が略１８０度となるように構成されていることを特徴とする遊技機。
【請求項２】
前記可動体（４１）が前記上部位置にきたとき、前記支持軸（４６）、前記被駆動側連結軸（７２）及び前記駆動側連結軸（６９）のなす角が略９０度となるように構成されていることを特徴とする請求項１に記載の遊技機。
【請求項３】
前記可動体（４１）が前記上部位置から前記下部位置まで揺動する間に、前記支持軸（４６）、前記被駆動側連結軸（７２）及び前記駆動側連結軸（６９）のなす角が１８０度に達しないように構成されていることを特徴とする請求項１又は２に記載の遊技機。
【請求項４】
前記可動体（４１）の揺動を前記下部位置において規制する降下側規制部（８７）を備え、該降下側規制部（８７）は、前記被駆動側レバー（６６）を当接させることによりその揺動を規制するように構成されていることを特徴とする請求項１〜３の何れかに記載の遊技機。
【発明の詳細な説明】
【技術分野】
【０００１】
本発明は、上下方向に揺動可能な可動体を備えたパチンコ機、スロットマシン等の遊技機に関するものである。
【背景技術】
【０００２】
パチンコ機等の遊技機では、近年、大型の液晶表示手段を搭載したものが主流となっており、各社とも、その液晶表示手段に表示する演出画像等により他社製品との差別化を図ってきたが、液晶表示手段に表示するバーチャルな演出画像による差別化のみではもはや他社製品との差別化を十分に図ることが難しくなってきている。そこで、画像による演出に機械的な動作を組み合わせてより演出効果を高めようと、例えば液晶表示手段の近傍に可動体を設けたものが開発されている（特許文献１参照）。
【０００３】
また、この種の可動体は液晶画面と共に大型化する傾向にあるが、そのような大型の可動体を例えば上下方向に動作させる場合には、小型の駆動装置では十分な上昇力を得られない場合が多い。そこで、例えば特許文献１に記載された発明では、駆動装置による上昇力を補助するコイルバネを設けることにより、小型の駆動装置でも可動体を円滑に上昇させることができるとしている。
【先行技術文献】
【特許文献】
【０００４】
【特許文献１】特開２００６−２２３６５９号公報
【発明の概要】
【発明が解決しようとする課題】
【０００５】
特許文献１に記載された発明では、大型の可動体を小型の駆動装置で上昇させることはできるが、その上部位置での保持状態は不完全であり、例えば長期使用によってバネ力が低下した場合や、遊技機に何らかの振動が与えられた場合には、可動体がその自重によって降下してしまう恐れがあった。
【０００６】
本発明は、上記事情に鑑みてなされたものであり、その目的とするところは、上下方向に揺動可能な可動体を、その上部側の定常位置で確実に保持して自重等による降下を確実に阻止ことが可能な遊技機を提供することにある。
【課題を解決するための手段】
【０００７】
本発明は、所定の支持軸４６廻りに揺動自在に支持された可動体４１と、前記支持軸４６と平行な駆動軸６１ａを有する回転駆動手段６１と、前記駆動軸６１ａの回転動作と前記可動体４１の前記支持軸４６廻りの回転動作とを連動させる連動手段６２とを備え、前記回転駆動手段６１の駆動により前記可動体４１を所定の上部位置と下部位置との間の可動範囲内で揺動させるように構成された遊技機において、前記連動手段６２は、前記駆動軸６１ａと回転方向に連結され且つ該駆動軸６１ａに略直交する駆動側レバー６５と、前記支持軸４６と回転方向に連結され且つ該支持軸４６に略直交する被駆動側レバー６６と、前記駆動側レバー６５の先端側の駆動側連結軸６９と前記被駆動側レバー６６の先端側の被駆動側連結軸７２とを夫々回転自在に連結する連結リンク６７とを備え、前記可動体４１が前記上部位置にきたとき、前記被駆動側連結軸７２、前記駆動側連結軸６９及び前記駆動軸６１ａのなす角が略１８０度となるように構成されているものである。
【発明の効果】
【０００８】
本発明によれば、可動体４１が上部位置にある状態では、被駆動側レバー６６の作用点である被駆動側連結軸７２は駆動側レバー６５の延長線上に位置することとなり、可動体４１の自重による被駆動側レバー６６の回転力によって駆動側レバー６５を駆動軸６１ａ廻りに回転させることはできず、被駆動側レバー６６の回転は阻止される。従って、上下方向に揺動可能な可動体４１を、その上部位置で確実に保持して自重等による降下を確実に阻止することが可能である。
【図面の簡単な説明】
【０００９】
【図１】本発明の一実施形態を示すパチンコ機の全体斜視図である。
【図２】遊技盤の正面図である。
【図３】センターケースを構成する後構造体の正面図である。
【図４】センターケースを構成する後構造体の分解斜視図である。
【図５】上部可動演出手段の斜視図である。
【図６】上部可動演出手段の分解斜視図である。
【図７】上部可動演出手段の分解斜視図である。
【図８】上部可動演出手段の上部位置及び下部位置における側面図及び正面図である。
【図９】上部可動演出手段の上部位置及び下部位置における側面断面図である。
【発明を実施するための形態】
【００１０】
以下、本発明の実施形態を図面に基づいて詳述する。図１〜図９は本発明をパチンコ機に採用した一実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【００１１】
内枠４には、その上部側に図２に示す遊技盤５等が、下部側に発射手段（図示省略）等が夫々配置されており、その内枠４の前側には、遊技盤５の前側を覆うガラス扉６と、そのガラス扉６の下側で発射手段等の前側を覆う下部開閉扉７とがヒンジ３と同じ側のヒンジ８により開閉及び着脱自在に枢着されている。ガラス扉６には、遊技盤５側の遊技領域５ａに対応するガラス窓９が設けられ、また下部開閉扉７には、発射手段に供給するための遊技球を貯留する貯留皿１０、発射手段を作動させるための発射ハンドル１１等が設けられている。
【００１２】
遊技盤５の前側には、発射手段により発射された遊技球を案内するガイドレール１２が略環状に装着されると共に、そのガイドレール１２内の遊技領域５ａには、その略中央にセンターケース１３が配置され、更にそのセンターケース１３の左側に通過ゲート１４が、下側に開閉式入賞手段１５及び大入賞手段１６が配置される他、普通入賞手段１７等の各種遊技部品が装着されている。
【００１３】
センターケース１３は、遊技盤５に形成された装着孔に対して前側から着脱自在に装着される前構造体２１と、後側に液晶表示ユニット等の画像表示手段２２が装着され且つ前構造体２１に対応して遊技盤５の裏側に着脱自在に装着される後構造体２３と、一又は複数、例えば二つの可動演出手段２４，２５とを備えている。
【００１４】
後構造体２３は、図３及び図４に示すように、前側が開放した略箱形に形成され且つその背壁２６に画像表示手段２２（図２）の表示画面に対応する矩形状の開口部２７が形成された本体ケース２８と、この本体ケース２８の前縁側から遊技盤５の背面に沿う鍔状に設けられた固定壁２９とを一体に備え、本体ケース２８の背壁２６の後側に画像表示手段２２を装着した状態で、固定壁２９を遊技盤５の背面側に固定することにより遊技盤５に着脱自在に装着されている。なお、可動演出手段２４，２５は共に本体ケース２８内に収容され、例えば上部可動演出手段２４は開口部２７の上側に、側部可動演出手段２５は開口部２７の側方に夫々配置されている。
【００１５】
前構造体２１は、図２に示すように、その略中央に後構造体２３側の開口部２７に対応する表示窓３１を備えた枠状に形成されており、表示窓３１の側方には側部可動演出手段２５を前側から視認可能とするための演出窓３２が、表示窓３１の上側には上部可動演出手段２４を前側から略覆う上装飾部３３が、表示窓３１の下側にはワープ入球口３４に入球した遊技球を左右方向に自由に転動させた後に前側に落下させるステージ３５が、夫々設けられている。
【００１６】
以下、図４〜図９を参照しつつ上部可動演出手段２４の構成について詳述する。上部可動演出手段２４は、後構造体２３側に支持され且つ左右方向の軸廻りに揺動可能な可動ユニット（可動体）４１と、後構造体２３側に装着され且つ可動ユニット４１を揺動駆動する駆動ユニット４２とを備えている。
【００１７】
可動ユニット４１は、左右方向に長い箱形に形成された可動ボックス４３と、この可動ボックス４３内に回転自在に装着された回転ドラム４４と、可動ボックス４３内に配置され且つ回転ドラム４４を回転駆動するステッピングモータ等の回転駆動手段４５（図８）とを備え、例えば可動ボックス４３から左右両側に突設された支持軸４６が、軸受部材４７を介して後構造体２３側の左右一対の支持部４８により回転自在に支持されている。
【００１８】
なお、可動ユニット４１は、図５（ａ），図８（ａ）等に示す上部位置と図５（ｂ），図８（ｂ）等に示す下部位置との間の可動範囲内で支持軸４６廻りに揺動可能となっており、通常時は上部位置に保持されているが、以下の説明では、可動ユニット４１の構成については下部位置にある状態を基準として前後上下等の表現を用いるものとする。
【００１９】
可動ボックス４３は、図５，図６等に示すように、前後に嵌め合わせ可能な表ケース５１と裏カバー５２とで構成されている。表ケース５１は、左右方向に配置された回転ドラム４４の両端側を回転自在に保持する左右一対のサイドカバー部５３，５３と、それらサイドカバー部５３，５３を回転ドラム４４の上側で左右に連結する連結カバー部５４と、サイドカバー部５３の左右の側面５３ａにおける前端部上部側から左右に突出する一対の支持軸４６，４６とを例えば一体に備えており、その後側を塞ぐように裏カバー５２が着脱自在に装着されている。
【００２０】
この可動ユニット４１は、上部位置では図２に示すようにその略全体が前構造体２１側の上装飾部３３の後側に隠れ、その前側の表示面４１ａが略下向きとなって前側からは回転ドラム４４が視認できない状態となり、下部位置では表示面４１ａが前向きとなって上装飾部３３の下側に現れ、前側から回転ドラム４４が視認可能な状態となる。
【００２１】
回転ドラム４４は、例えばその外周面に文字、図形その他の複数の演出用図柄（図示省略）がプリントされており、例えば可動ユニット４１が下部位置にあるとき、可動ボックス４３内に配置された回転駆動手段４５の駆動により回転して、何れかの演出用図柄を前側に向けた状態で停止されるようになっている。
【００２２】
以上のように、可動ユニット４１は、支持軸４６がその前端部上部側に配置されており、重心が支持軸４６よりも後側且つ下側にあるため、上部位置にある状態ではその自重によって下部位置側に降下する向きに付勢される。
【００２３】
駆動ユニット４２は、可動ユニット４１の左右方向一方側、例えば左側に配置されており、図６，図７等に示すように、ステッピングモータ等の回転駆動手段６１と、この回転駆動手段６１の駆動軸６１ａの回転動作と可動ユニット４１側の支持軸４６の回転動作とを連動させる連動手段６２と、回転駆動手段６１による回転位置を検出する位置検出手段６３と、連動手段６２等を収容する連動ボックス６４とを備えている。
【００２４】
回転駆動手段６１は、その駆動軸６１ａを可動ユニット４１側の支持軸４６と平行、即ち左右方向に向けた状態で配置されており、例えばその駆動軸６１ａの先端側を連動ボックス６４内に突出させた状態で連動ボックス６４の外面側に着脱自在に固定されている。なお、回転駆動手段６１は、駆動軸６１ａが支持軸４６に対して所定方向、例えば後側に所定距離離れた位置となるように配置されている。
【００２５】
連動手段６２は、駆動軸６１ａに固定される駆動側レバー６５と、可動ユニット４１側の支持軸４６に係脱自在に連結される被駆動側レバー６６と、それら駆動側レバー６５と被駆動側レバー６６とを連結する連結リンク６７とを備えている。
【００２６】
駆動側レバー６５は、駆動軸６１ａに対して直交する方向に設けられており、その一端側の軸固定部６８が駆動軸６１ａに固定され、他端側に駆動軸６１ａ及び支持軸４６と平行な駆動側連結軸６９が設けられている。また、駆動側レバー６５には、位置検出手段６３に対応する被検出部７０が駆動軸６１ａの半径方向に向けて突設されている。
【００２７】
被駆動側レバー６６は、支持軸４６に対して直交する方向に設けられており、その一端側から左右方向に支持軸４６と同軸の連動軸７１が突設され、他端側に駆動軸６１ａ及び支持軸４６と平行な被駆動側連結軸７２が設けられている。この被駆動側レバー６６は、連動軸７１の両端側で連動ボックス６４側の軸受部７３，７４により回転自在に支持されており、連動軸７１の一端側に設けられた例えば切欠状の被係合部７５が支持軸４６側の係合部７６に係脱自在に係合することにより、支持軸４６に対して回転方向に連結されている。
【００２８】
そして、可動ユニット４１が上部位置にあるとき、被駆動側レバー６６が支持軸４６に対して略上向きとなり（図９（ａ））、その位置から被駆動側レバー６６が後ろ向きに所定角度、例えば７５度程度回転したときに可動ユニット４１が下部位置に到達する（図９（ｂ））ようになっている。
【００２９】
また、被駆動側レバー６６には、例えば連動軸７１と被駆動側連結軸７２との間に、支持軸４６に平行な突起部７７が例えば左右方向の一方側に突設されている。
【００３０】
連結リンク６７は、駆動軸６１ａ及び支持軸４６に直交する方向に配置され、その一端側が駆動側レバー６５側の駆動側連結軸６９に、他端側が被駆動側レバー６６側の被駆動側連結軸７２に、夫々回転自在に連結されている。
【００３１】
そして、駆動軸６１ａ、支持軸４６、及びそれらを連結する駆動側レバー６５、被駆動側レバー６６、連結リンク６７の関係は次のように設定されている。即ち、可動ユニット４１が上部位置にあるとき、図９（ａ）に示すように被駆動側連結軸７２、駆動側連結軸６９及び駆動軸６１ａのなす角が１８０度になると共に、支持軸４６、被駆動側連結軸７２及び駆動側連結軸６９のなす角が略９０度となる。そして、その状態から駆動軸６１ａが駆動されて駆動側レバー６５が下向きに揺動すると、これに連動して被駆動側レバー６６が後ろ向きに揺動し、それによって支持軸４６、被駆動側連結軸７２及び駆動側連結軸６９のなす角が略９０度から徐々に大きくなり、図９（ｂ）に示すようにその角度が１８０度に達する前に可動ユニット４１が下部位置に到達するようになっている。
【００３２】
連動ボックス６４は、例えば支持軸４６の軸方向に嵌め合わせ可能な本体ケース８１と蓋体８２とで構成されており、例えばその後部側に設けられた突起状の固定部６４ａを介して後構造体２３に対して着脱自在に固定されている。
【００３３】
本体ケース８１は、図６及び図７に示すように、可動ユニット４１の左側面に沿って配置される右側壁８３と、この右側壁８３の外周に沿って左向きに突設される上下前後の周壁８４とで左側が開放した偏平な箱形に形成されており、その内部に駆動側レバー６５、被駆動側レバー６６、連結リンク６７、位置検出手段６３等が配置されている。
【００３４】
本体ケース８１の右側壁８３には、駆動側レバー６５側の軸固定部６８の一端側が回転自在に嵌合する例えば外向き凹入状の軸嵌合部８５と、被駆動側レバー６６側の連動軸７１の右端側を回転自在に保持する軸受部７３とが設けられている。軸受部７３は連動軸７１に対応する円形の貫通孔で、連動軸７１はこの軸受部７３を貫通して連動ボックス６４の外側で支持軸４６に連結されている。
【００３５】
位置検出手段６３は、例えば透過形フォトセンサにより構成され、基板８６を介して例えば駆動軸６１ａの上側に装着されている。この位置検出手段６３は、可動ユニット４１が上部位置又はその近傍にきたときに駆動側レバー６５側の被検出部７０を検出するように配置されており、図示しない駆動制御手段が、この位置検出手段６３からの検出信号に基づいて回転駆動手段６１を駆動制御するようになっている。
【００３６】
また、本体ケース８１内には、可動ユニット４１の揺動を下部位置において規制する降下側規制部８７と、同じく上部位置において規制する上昇側規制部８８とが設けられている。降下側規制部８７は、被駆動側レバー６６の揺動を規制することにより、可動ユニット４１の揺動を下部位置において規制するもので、例えば本体ケース８１の下周壁８４ａから内向き突出状に形成されており、可動ユニット４１が下部位置にきたときに被駆動側レバー６６を当接させることによりその揺動を規制するようになっている。
【００３７】
また、上昇側規制部８８は、駆動側レバー６５の揺動を規制することにより、可動ユニット４１の揺動を上部位置において規制するもので、例えば本体ケース８１の後周壁８４ｂから内向き突出状に形成されており、可動ユニット４１が上部位置にきたときに駆動側レバー６５側の例えば被検出部７０を当接させることによりその揺動を規制するようになっている。
【００３８】
蓋体８２は、図６に示すように、本体ケース８１側の右側壁８３に対向する左側壁８９と、この左側壁８９の外周に沿って本体ケース８１側に突設される外周枠９０とを一体に備え、本体ケース８１を左側から略閉鎖するように本体ケース８１に着脱自在に装着されている。
【００３９】
蓋体８２の左側壁８９には、例えば切欠状の駆動軸挿通口９１と、被駆動側レバー６６側の連動軸７１の左端側を回転自在に保持する例えば外向き凹入状の軸受部７４と、この軸受部７４の外周側に設けられ且つ被駆動側レバー６６側の突起部７７が内側から嵌合する嵌合案内部９２とが設けられている。
【００４０】
以上のような構成の上部可動演出手段２４の駆動制御について簡単に説明する。通常時には、可動ユニット４１は図８（ａ），図９（ａ）に示す上部位置に保持される。このとき、図９（ａ）に示すように被駆動側レバー６６は略上向き、駆動側レバー６５は略前向きとなり、被駆動側連結軸７２、駆動側連結軸６９及び駆動軸６１ａのなす角が１８０度、支持軸４６、被駆動側連結軸７２及び駆動側連結軸６９のなす角が略９０度となっている。
【００４１】
ここで、被駆動側レバー６６には、可動ユニット４１の自重により後ろ向きに揺動しようとする力が作用するが、被駆動側連結軸７２、駆動側連結軸６９及び駆動軸６１ａのなす角が１８０度で、被駆動側レバー６６の作用点である被駆動側連結軸７２は駆動側レバー６５の延長線上に位置しており、しかも支持軸４６、被駆動側連結軸７２及び駆動側連結軸６９のなす角が略９０度で、被駆動側レバー６６側からの力は駆動側レバー６５に対してその長手方向に作用するため、被駆動側レバー６６の回転力によって駆動側レバー６５を駆動軸６１ａ廻りに回転させることはできず、被駆動側レバー６６の回転は阻止される。従って、例えば可動ユニット４１を上部位置で保持するための保持手段を別途設けることなく、可動ユニット４１の自重による上部位置からの降下を確実に阻止することが可能である。
【００４２】
主制御手段から上部可動演出手段２４の駆動制御手段に対して可動ユニット４１の動作指令が出力されると、駆動制御手段は、所定の動作パターンに従って回転駆動手段６１の駆動制御を開始する。これにより、回転駆動手段６１はまず可動ユニット４１を降下させる方向、即ち駆動側レバー６５を下向きに揺動させる方向に作動するが、その駆動側レバー６５の作用点である駆動側連結軸６９は被駆動側レバー６６の延長線上にはないため、その回転が阻止されることなくスムーズに降下方向への駆動が開始される。
【００４３】
そして、この降下方向への駆動により、被駆動側レバー６６が後ろ向きに揺動し、それによって支持軸４６、被駆動側連結軸７２及び駆動側連結軸６９のなす角が略９０度から徐々に大きくなるが、その角度は可動ユニット４１が下部位置に到達したときでも１８０度には達しない（図９（ｂ））。即ち、可動ユニット４１が下部位置にあるときも、駆動側レバー６５の作用点である駆動側連結軸６９は被駆動側レバー６６の延長線上にはないため、可動ユニット４１の駆動を降下方向から上昇方向に転じたときにも、駆動側レバー６５の回転が阻止されることはなく、スムーズな駆動動作を維持できる。
【００４４】
なお、可動ユニット４１が下部位置に達したとき、図９（ｂ）に示すように被駆動側レバー６６が降下側規制部８７に当接してそれ以上の揺動が規制されるため、例えば可動ユニット４１に過大な外力が作用したような場合でも、例えば被駆動側レバー６６側の被駆動側連結軸７２が支持軸４６と駆動軸６１ａとを結ぶ直線を超えてそれよりも下側に達することは絶対になく、従って回転駆動手段６１の駆動によっては可動ユニット４１を上部位置まで復帰させることができなくなるような事態は確実に阻止できる。
【００４５】
図９（ｂ）に矢印で示すように可動ユニット４１が上昇方向に駆動され、駆動側レバー６５側の被検出部７０が位置検出手段６３により検出されると、可動ユニット４１が上部位置に達した時点で回転駆動手段６１が停止し、可動ユニット４１は再びその状態で保持される。
【００４６】
以上説明したように、本実施形態のパチンコ機に搭載される上部可動演出手段２４は、駆動軸６１ａの回転動作と可動ユニット４１の支持軸４６廻りの回転動作とを連動させる連動手段６２が、駆動軸６１ａと回転方向に連結され且つ駆動軸６１ａに略直交する駆動側レバー６５と、支持軸４６と回転方向に連結され且つ支持軸４６に略直交する被駆動側レバー６６と、駆動側レバー６５の先端側の駆動側連結軸６９と被駆動側レバー６６の先端側の被駆動側連結軸７２とを夫々回転自在に連結する連結リンク６７とで構成され、可動ユニット４１が上部位置にきたとき、被駆動側連結軸７２、駆動側連結軸６９及び駆動軸６１ａのなす角が略１８０度となるように構成されているため、可動ユニット４１が上部位置にある状態では、被駆動側レバー６６の作用点である被駆動側連結軸７２は駆動側レバー６５の延長線上に位置することとなり、可動ユニット４１の自重による被駆動側レバー６６の回転力によって駆動側レバー６５を駆動軸６１ａ廻りに回転させることはできず、被駆動側レバー６６の回転は阻止される。従って、上下方向に揺動可能な可動ユニット４１を、その上部位置で確実に保持して自重等による降下を確実に阻止することが可能である。
【００４７】
また、可動ユニット４１が上部位置にきたとき、支持軸４６、被駆動側連結軸７２及び駆動側連結軸６９のなす角が略９０度となるように構成されているため、上部位置にある可動ユニット４１が自重等によって降下しようとする場合の被駆動側レバー６６の回転力を、その作用点である被駆動側連結軸７２から駆動側レバー６５の長手方向に沿って正確に作用させることができ、可動ユニット４１の自重等による降下をより確実に阻止できる利点がある。
【００４８】
また、可動ユニット４１が上部位置から下部位置まで揺動する間に、支持軸４６、被駆動側連結軸７２及び駆動側連結軸６９のなす角が１８０度に達しないように構成されているため、可動ユニット４１が下部位置にあるとき、駆動側レバー６５の作用点である駆動側連結軸６９が被駆動側レバー６６の延長線上にくることはなく、従って可動ユニット４１を下部位置から上昇方向に駆動する際に駆動側レバー６５の回転が阻止されることはなく、スムーズな駆動動作を維持できる。
【００４９】
更に、可動ユニット４１の揺動を下部位置において規制する降下側規制部８７を備え、この降下側規制部８７は、被駆動側レバー６６を当接させることによりその揺動を規制するように構成されているため、例えば可動ユニット４１に対して降下方向に過大な外力が作用したような場合でも、例えば被駆動側レバー６６側の被駆動側連結軸７２が支持軸４６と駆動軸６１ａとを結ぶ直線を超えることは絶対になく、従って回転駆動手段６１の駆動によっては可動ユニット４１を上部位置まで復帰させることができなくなるような事態を確実に阻止できる。
【００５０】
以上、本発明の実施形態について詳述したが、本発明はこれらの実施形態に限定されるものではなく、本発明の趣旨を逸脱しない範囲で種々の変更が可能である。例えば、可動体４１が、自重ではなく、或いは自重に加えて何らかの付勢手段により下向きに付勢されている場合でも本発明のように構成することは有効である。
【００５１】
なお、実施形態ではパチンコ機について例示したが、アレンジボール機、雀球遊技機等の他の弾球遊技機はもちろん、スロットマシン等の弾球遊技機以外の各種遊技機でも同様に実施可能であることはいうまでもない。
【符号の説明】
【００５２】
４６    支持軸
６１    回転駆動手段
６１ａ  駆動軸
６２    連動手段
６５    駆動側レバー
６６    被駆動側レバー
６７    連結リンク
６９    駆動側連結軸
７２    被駆動側連結軸
８７    降下側規制部
【図１】
2011072840.tif 000003
【図２】
2011072840.tif 000004
【図３】
2011072840.tif 000005
【図４】
2011072840.tif 000006
【図５】
2011072840.tif 000007
【図６】
2011072840.tif 000008
【図７】
2011072840.tif 000009
【図８】
2011072840.tif 000010
【図９】
2011072840.tif 000011
【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
所定の支持軸（４６）廻りに揺動自在に支持された可動体（４１）と、前記支持軸（４６）と平行な駆動軸（６１ａ）を有する回転駆動手段（６１）と、前記駆動軸（６１ａ）の回転動作と前記可動体（４１）の前記支持軸（４６）廻りの回転動作とを連動させる連動手段（６２）とを備え、前記回転駆動手段（６１）の駆動により前記可動体（４１）を所定の第１位置と第２位置との間の可動範囲内で揺動させるように構成され、前記可動体（４１）は前記第１位置から前記第２位置に向けて付勢されている遊技機において、前記連動手段（６２）は、前記駆動軸（６１ａ）と回転方向に連結され且つ該駆動軸（６１ａ）に略直交する駆動側レバー（６５）と、前記支持軸（４６）と回転方向に連結され且つ該支持軸（４６）に略直交する被駆動側レバー（６６）と、前記駆動側レバー（６５）の先端側の駆動側連結軸（６９）と前記被駆動側レバー（６６）の先端側の被駆動側連結軸（７２）とを夫々回転自在に連結する連結リンク（６７）とを備え、前記可動体（４１）が前記第１位置にきたとき、前記支持軸（４６）に直交する平面上で、前記駆動側連結軸（６９）と前記被駆動側連結軸（７２）とを結ぶ直線と前記駆動側連結軸（６９）と前記駆動軸（６１ａ）とを結ぶ直線とのなす角が略１８０度となり、前記可動体（４１）が前記第１位置から前記第２位置まで揺動する間に、前記平面上で、前記被駆動側連結軸（７２）と前記支持軸（４６）とを結ぶ直線と前記被駆動側連結軸（７２）と前記駆動側連結軸（６９）とを結ぶ直線とのなす角が１８０度に達しないように構成されていることを特徴とする遊技機。
【手続補正２】
【補正対象書類名】明細書
【補正対象項目名】０００７
【補正方法】変更
【補正の内容】
【０００７】
本発明は、所定の支持軸４６廻りに揺動自在に支持された可動体４１と、前記支持軸４６と平行な駆動軸６１ａを有する回転駆動手段６１と、前記駆動軸６１ａの回転動作と前記可動体４１の前記支持軸４６廻りの回転動作とを連動させる連動手段６２とを備え、前記回転駆動手段６１の駆動により前記可動体４１を所定の第１位置と第２位置との間の可動範囲内で揺動させるように構成され、前記可動体４１は前記第１位置から前記第２位置に向けて付勢されている遊技機において、前記連動手段６２は、前記駆動軸６１ａと回転方向に連結され且つ該駆動軸６１ａに略直交する駆動側レバー６５と、前記支持軸４６と回転方向に連結され且つ該支持軸４６に略直交する被駆動側レバー６６と、前記駆動側レバー６５の先端側の駆動側連結軸６９と前記被駆動側レバー６６の先端側の被駆動側連結軸７２とを夫々回転自在に連結する連結リンク６７とを備え、前記可動体４１が前記第１位置にきたとき、前記支持軸４６に直交する平面上で、前記駆動側連結軸６９と前記被駆動側連結軸７２とを結ぶ直線と前記駆動側連結軸６９と前記駆動軸６１ａとを結ぶ直線とのなす角が略１８０度となり、前記可動体４１が前記第１位置から前記第２位置まで揺動する間に、前記平面上で、前記被駆動側連結軸７２と前記支持軸４６とを結ぶ直線と前記被駆動側連結軸７２と前記駆動側連結軸６９とを結ぶ直線とのなす角が１８０度に達しないように構成されているものである。